(57)【特許請求の範囲】
【請求項１】
前側板（４ａ）及び後側板（４ｂ）と、左側板（５ａ）及び右側板（５ｂ）と、中仕切板（６ａ）及び後仕切板（６ｂ）によって箱体（３）を構成し、該箱体（３）内の上部に、穀稈を脱穀する脱穀室（７）を設け、該脱穀室（７）の右側後部に排塵物を処理する排塵処理室（８）を設け、脱穀室（７）の右側部に二番物を処理する二番処理室（９）を設け、前記脱穀室（７）下部に選別室（３０）を設け、該選別室（３０）内に穀粒と藁屑とを選別する揺動選別棚（３２ｄ）を設け、該揺動選別棚（３２ｄ）の前端部には移送棚（３２ａ）を設け、選別室（３０）の右側の側板となる前記右側板（５ｂ）を、前記二番処理室（９）内に設けた二番胴（９ａ）よりも右側へ偏倚させ、前記右側板（５ｂ）に、排塵掃除口（１０）と、前後方向において移送棚（３２ａ）の設置域の全域に亘る二番掃除口（１１）とを設け、該排塵掃除口（１０）から排塵処理室（８）下側の排塵網（８ｄ）を着脱自在に構成すると共に、二番掃除口（１１）から二番処理室（９）下側の二番網（９ｄ）を着脱して該二番掃除口（１１）から移送棚（３２ａ）上の穀粒や藁屑を除去できる構成とし、前記排塵網（８ｄ）を張設した排塵網枠（８ｅ）の後端部と前記後側板（４ｂ）との間に、排塵処理室（８）後端の排塵排出口（２９ａ）から排出される排塵物を外部へ排出案内する末広がりに形成したガイド板（４０）を設け、該ガイド板（４０）の後端部を揺動選別棚（３２ｄ）の後端部よりも所定距離前方に配置したことを特徴とする脱穀機。
【請求項２】
前記ガイド板（４０）の左側の部位を、揺動選別棚（３２ｄ）の後部上方に配置した排塵ファン（３８）のケーシング（３８ａ）の壁板に装着すると共に、該ガイド板（４０）の右側の部位を、前記右側板（５ｂ）の後部に設けたカッタ前壁板（４０ｂ）に装着し、排塵処理室（８）の後端上半部分を形成する排塵後板（４１）に排塵胴（８ａ）の回転軸である排塵軸（４１ａ）を軸支し、排塵処理室（８）の後端下半部分に前記ガイド板（４０）で排出案内される藁屑の排出通路を形成したことを特徴とする請求項１記載の脱穀機。
【発明の詳細な説明】
【０００１】
【発明の属する技術分野】
この発明は、脱穀機に関するものである。
【０００２】
【従来の技術】
脱穀機を載置したコンバインによる立毛穀稈の収穫作業では、コンバインの走行車台の前部に設けた刈取機で立毛穀稈は刈取りされ、この刈取り穀稈は、この刈取機で後方上部へ移送され、走行車台の上側に載置した左・右側板と前後側板と中仕切板と後仕切板とで箱体に形成した脱穀機のフィードチエンと挟持杆とで引継ぎされ、これらフィードチエンと挟持杆とで挟持されて、脱穀機の上部に設けた脱穀室内を挟持移送中に脱穀され、脱穀済み穀粒及び一部の藁屑等は、この脱穀室から下部の選別室内に設けて、穀粒と藁屑等とに揺動選別する揺動選別装置へ供給される。
【０００３】
又、排塵物は、前記脱穀室からこの脱穀室の右横側で前部に設けた二番処理室と、後部に設けた排塵処理室とへ供給され、再度脱穀処理され、再脱穀処理された一部の穀粒及び藁屑等は、排塵処理室から選別室内に設けて揺動選別する揺動選別装置へ供給される。再脱穀処理された大半の藁屑は機外へ排出される。
【０００４】
更に未脱穀物である二番物は、前記脱穀機の右横側へ斜設した二番還元装置で揚送移送されて、排塵処理室の前側に設けた二番処理室内へ揚送還元され、この二番処理室内の二番胴の二番処理爪で再脱穀処理され、再脱穀処理された一部の穀粒及び藁屑は、この二番処理室から選別室内に設けて揺動選別する揺動選別装置へ供給される。この二番処理室を形成する一方側の右側板は、脱穀室の下側の選別室を形成する一方側の右側板より、所定距離右外側へ位置させている。
【０００５】
前記脱穀室、排塵処理室、及び二番処理室から選別室内の揺動選別装置へ供給された脱穀物及び再脱穀処理物は、揺動選別、及び風選別される。選別済み穀粒は穀粒貯留タンク内へ供給されて一時貯留される。又、選別された藁屑、塵埃、及び稈切等は機外へ排出される。
【０００６】
【発明が解決しようとする課題】
穀粒と、藁屑等に揺動選別する揺動選別装置を内装した選別室の一方側を形成する右側板の位置より、二番胴を内装して二番物を再脱穀処理する二番処理室を形成する右側板の位置を所定距離右外側へ位置させて設けたことにより、二番処理室内で再脱穀処理され、再脱穀処理された一部の穀粒、及び藁屑等は揺動選別装置の右側へ片寄って漏下供給される事が多くなり、このために、揺動選別性能が低下することが発生していた。又、右側板には、排塵処理室の下側に設けた排塵網、及び二番処理室の下側に設けた二番網等を着脱したり、掃除したりする排塵掃除口、及び二番掃除口を設けていないことにより、これらの各作業を容易に行うことができなかったが、この発明により、これらの問題点を解決しようとするものである。
【０００７】
【課題を解決するための手段】
このために、請求項１に記載の発明は、前側板（４ａ）及び後側板（４ｂ）と、左側板（５ａ）及び右側板（５ｂ）と、中仕切板（６ａ）及び後仕切板（６ｂ）によって箱体（３）を構成し、該箱体（３）内の上部に、穀稈を脱穀する脱穀室（７）を設け、該脱穀室（７）の右側後部に排塵物を処理する排塵処理室（８）を設け、脱穀室（７）の右側部に二番物を処理する二番処理室（９）を設け、前記脱穀室（７）下部に選別室（３０）を設け、該選別室（３０）内に穀粒と藁屑とを選別する揺動選別棚（３２ｄ）を設け、該揺動選別棚（３２ｄ）の前端部には移送棚（３２ａ）を設け、選別室（３０）の右側の側板となる前記右側板（５ｂ）を、前記二番処理室（９）内に設けた二番胴（９ａ）よりも右側へ偏倚させ、前記右側板（５ｂ）に、排塵掃除口（１０）と、前後方向において移送棚（３２ａ）の設置域の全域に亘る二番掃除口（１１）とを設け、該排塵掃除口（１０）から排塵処理室（８）下側の排塵網（８ｄ）を着脱自在に構成すると共に、二番掃除口（１１）から二番処理室（９）下側の二番網（９ｄ）を着脱して該二番掃除口（１１）から移送棚（３２ａ）上の穀粒や藁屑を除去できる構成とし、前記排塵網（８ｄ）を張設した排塵網枠（８ｅ）の後端部と前記後側板（４ｂ）との間に、排塵処理室（８）後端の排塵排出口（２９ａ）から排出される排塵物を外部へ排出案内する末広がりに形成したガイド板（４０）を設け、該ガイド板（４０）の後端部を揺動選別棚（３２ｄ）の後端部よりも所定距離前方に配置したことを特徴とする脱穀機としたものである。
【０００８】
請求項２に記載の発明は、前記ガイド板（４０）の左側の部位を、揺動選別棚（３２ｄ）の後部上方に配置した排塵ファン（３８）のケーシング（３８ａ）の壁板に装着すると共に、該ガイド板（４０）の右側の部位を、前記右側板（５ｂ）の後部に設けたカッタ前壁板（４０ｂ）に装着し、排塵処理室（８）の後端上半部分を形成する排塵後板（４１）に排塵胴（８ａ）の回転軸である排塵軸（４１ａ）を軸支し、排塵処理室（８）の後端下半部分に前記ガイド板（４０）で排出案内される藁屑の排出通路を形成したことを特徴とする請求項１記載の脱穀機としたものである。
【０００９】
【００１０】
【００１１】
【００１２】
【００１３】
【００１４】
【００１５】
【００１６】
【００１７】
【発明の効果】
請求項１に記載の発明によると、二番処理室（９）下側の二番網（９ｄ）から漏下して揺動選別棚（３２ｄ）上へ落下供給される再脱穀処理物が、右側へ片寄って供給されることがなくなり、左右方向へ均等に落下供給されることにより、選別性能が向上する。又、脱穀室（７）部の全巾よりも選別室（３０）の全巾が広くなることにより、安定した形状の脱穀機とすることができる。
【００１８】
そして、排塵処理室（８）下側の排塵網（８ｄ）及び二番処理室（９）下側の二番網（９ｄ）が簡単に着脱できることにより、これら排塵処理室（８）・二番処理室（９）及び排塵網（８ｄ）・二番網（９ｄ）の掃除が簡単であると共に、メンテナンス性が向上する。
【００１９】
また、二番掃除口（１０）から二番処理室（９）下側の二番網（９ｄ）を着脱して、この前後方向において移送棚（３２ａ）の設置域の全域に亘る二番掃除口（１１）から、移送棚（３２ａ）上に残る穀粒や藁屑を容易に除去することができる。
そして、排塵網（８ｄ）を張設した排塵網枠（８ｅ）の後端部と後側板（４ｂ）との間に、排塵処理室（８）後端の排塵排出口（２９ａ）から排出される排塵物を排出案内する末広がりに形成したガイド板（４０）を設け、このガイド板（４０）の後端部を揺動選別棚（３２ｄ）の後端部よりも所定距離前方に配置することで、排塵排出口（２９ａ）から排出される藁屑を揺動選別棚（３２ｄ）上と外部とへ広範囲に分散して排出することができ、揺動選別性能の向上を図ることができる。
【００２０】
請求項２記載の発明によると、上記請求項１記載の発明の効果に加え、ガイド板（４０）の左側の部位を、揺動選別棚（３２ｄ）の後部上方に配置した排塵ファン（３８）のケーシング（３８ａ）の壁板に装着すると共に、このガイド板（４０）の右側の部位を右側板（５ｂ）の後部に設けたカッタ前壁板（４０ｂ）に装着することで、ガイド板（４０）を強固に取り付けることができる。
また、排塵処理室（８）の後端上半部分を形成する排塵後板（４１）に排塵胴（８ａ）の回転軸である排塵軸（４１ａ）を軸支し、排塵処理室（８）の後端下半部分にガイド板（４０）で排出案内される藁屑の排出通路を形成することで、藁屑の排出通路を大きく取ることができる。
【００２１】
【発明の実施の形態】
以下、本発明の実施の形態を図面に基づいて説明する。
コンバイン１の走行車台１４の上側へ載置して、穀稈を脱穀する脱穀機２の上部には、脱穀室７を設け、この脱穀室７の横側後部には、排塵物を再脱穀処理する排塵処理室８を設けると共に、前部には、二番物を再脱穀処理する二番処理室９を設け、これら排塵・二番処理室８，９を形成する一側部の右側板５ｂには、排塵掃除口１０と、二番掃除口１１等を設けた構成である。これら排塵・二番処理室８，９、及び排塵・二番掃除口１０，１１を主に図示して説明する。
【００２２】
前記コンバイン１の走行車台１４の下側には、図１２で示す如く土壌面を走行する左右一対の走行クローラ１５ａを張設した走行装置１５を配設し、走行車台１４の上側には、脱穀機２を載置した構成である。走行車台１４の前側の刈取機１６で立毛穀稈を刈取りし、この刈取り穀稈は、この刈取機１６で後方上部へ移送され、脱穀機２のフィードチエン１７ａと挟持杆１７ｂとで引継ぎされて、挟持移送されながら脱穀される。脱穀済みで選別済み穀粒は、脱穀機２の右横側に配設した穀粒貯留タンク１８内に一時貯留される。
【００２３】
前記走行車台１４の前側には、図１２で示す如く前端位置から立毛穀稈を分離するナローガイド１９ａ、及び分草体１９ｂと、立毛穀稈を引起す引起装置２０ａと、引起された穀稈を掻込みする穀稈掻込移送装置２１の掻込装置２１ａと、掻込された穀稈を刈取る刈刃装置２０ｂと、刈取りされた穀稈を挟持移送して脱穀機２のフィードチエン１７ａと、挟持杆１７ｂとへ受渡しする穀稈掻込移送装置２１の根元・穂先移送装置２２ａ，２２ｂ等からなる刈取機１６を設けている。該刈取機１６は、油圧駆動による伸縮シリンダ２３により、土壌面に対して昇降自在に移動する構成である。
【００２４】
前記刈取機１６の前方下部から後方上部へ傾斜する支持杆２４ａの上端部には、左右方向の支持パイプ杆２４ｂを設け、この支持パイプ杆２４ｂを走行車台１４の上側面に設けた支持装置２４ｃで回動自在に支持させて、伸縮シリンダ２３の作動により、刈取機１６は支持パイプ杆２４ｂを回動中心として、上下に回動する構成である。
【００２５】
前記脱穀機２側の前部には、図１２で示す如くコンバイン１を始動、停止、及び各部を調節等の操作を行う操作装置２５ａと、これらの操作を行う作業者が搭乗する操縦席２５ｂとは、操作室フレーム２６ａで形成した操作室２６ｂ内に設け、この操縦席２５ｂの下側で、走行車台１４の上側面には、エンジン２７を載置すると共に、後方部には、穀粒貯留タンク１８を配設する。これら走行装置１５と、刈取機１６と、脱穀機２と、エンジン２７等により、コンバイン１の機体１ａを形成した構成である。
【００２６】
前記刈取機１６の穀稈掻込移送装置２１によって形成される穀稈移送経路中には、刈取られて移送される穀稈に接触作用することにより、脱穀機２へ穀稈の供給の有無を検出する穀稈センサ１６ａを設けた構成である。前記走行車台１４の前端部に装架された走行用のミッションケース２７ａ内の伝動機構の伝動経路中には、その出力回転に基づいて、走行車速を検出するポテンションメータ方式の車速センサ２７ｂを設けた構成である。
【００２７】
前記脱穀機２は、図１０、及び図１１で示す如く前・後側板４ａ，４ｂと、左・右側板５ａ，５ｂで箱体３に形成すると共に、この箱体３内には、脱穀室７を形成する後側に後仕切板６ｂを設けると共に、この後仕切板６ｂの所定距離前部には、中仕切板６ａを設け、これら中・後仕切板６ａ，６ｂ間には、脱穀室７から脱穀処理物の一部を排塵処理室８内へ供給する排塵供給口２８を形成した構成である。
【００２８】
前記箱体３の上部には、図１０、及び図１１で示す如く脱穀室７を設け、この脱穀室７の上側には、扱胴カバー４５を設けている。この脱穀室７内には、多種類で多数本の扱歯７ｂを植設した扱胴７ａを回転自在に軸支すると共に、扱胴７ａの扱歯７ｂの回転外周の下側部には、脱穀済み穀粒、及び発生した一部の藁屑等が、後述する選別室３０へ漏下する脱穀網７ｃを張設した構成である。
【００２９】
前記脱穀室７の右横側の後方部には、この脱穀室７内で脱穀されなかった未脱穀物（排塵物）を排塵供給口２８から供給を受け、再脱穀する排塵処理室８を設け、この排塵処理室８内には、排塵螺旋プレート８ｂ、及び複数枚の排塵排出板８ｃを固着した排塵胴８ａを回転自在に軸支すると共に、排塵胴８ａの排塵螺旋プレート８ｂの回転外周の下側部には、再脱穀処理した穀粒、及び一部の藁屑等が選別室３０へ漏下する排塵網８ｄを張設した構成である。この排塵処理室８の移送終端部には、再脱穀処理した藁屑等を主に排出する排塵排出口２９ａを設けた構成である。
【００３０】
前記排塵処理室８の前側には、二番物の供給を受けて、再脱穀処理する二番処理室９を設け、この二番処理室９内には、複数個の二番処理爪９ｂ、及び二番排出板９ｃを固着した二番胴９ａを回転自在に軸支すると共に、二番胴９ａの二番処理爪９ｂの回転外周の下部には、二番網９ｄを張設した構成である。この二番処理室９の移送終端部には、再脱穀物を選別室３０へ排出する二番排出口２９ｂを設けた構成である。
【００３１】
前記脱穀室７の下側に設けた選別室３０内には、穀粒と、藁屑、及び稈切とに揺動選別する揺動選別装置３１を揺動自在に吊り下げ状態に設けた構成である。この揺動選別装置３１は前部より、順次移送棚３２ａ、チャフシーブ３２ｂ、ストローラック３２ｃ、揺動選別棚３２ｄを設けると共に、シャフシーブ３２ｂの下側には、グレンシーブ３２ｅを設けた構成である。シャフシーブ３２ｂの傾斜角度は調節可能として、漏下量を調節できる構成である。
【００３２】
前記揺動選別装置３１の下側前部には、送風羽根３３ａを回転自在に内装した選別送風機３３を設け、この選別送風機３３の送風羽根３３ａから発生する起風を送風して、穀粒と藁屑とに風選別する構成である。前記選別送風機３３の後側には、一番螺旋３４ａを回転自在に内装した一番受樋３４を設け、この一番受樋３４の前側上端部と、選別送風機３３とは接続した構成であると共に、後側には、一番選別棚３４ｂを設けた構成である。
【００３３】
前記一番受樋３４の後側には、二番螺旋３５ａを回転自在に内装した二番受樋３５を設け、この二番受樋３５の前側上端部は一番選別棚３４ｂの下側へ重合させると共に、後側上端部は揺動選別装置３１の揺動選別棚３２ｄの下側に重合させた構成である。
【００３４】
前記二番受樋３５の前側には、補助送風機３６を設け、この補助送風機３６から発生する起風は、二番受樋３５の前側の上部に設けた送風口３５ｂから送風し、二番物を風選別する構成である。前記一番受樋３４の一番螺旋３４ａの移送終端部には、一番揚送螺旋３４ｄを回転自在に内装した一番揚穀筒３４ｃを設けて接続させた構成であり、選別済み穀粒を揚送して、穀粒貯留タンク１８内へ供給する構成である。
【００３５】
前記二番受樋３５の二番螺旋３５ａの移送終端部には、二番還元装置１２を設けて接続させた構成であり、この二番還元装置１２は二番還元筒１３ａと、二番排出筒１３ｂと、これら二番還元筒１３ａ、及び二番排出筒１３ｂへ回転自在に内装した二番還元螺旋１３ｃ等よりなる構成である。
【００３６】
前記二番還元装置１２は、図２〜図４、及び図１０で示す如く脱穀機２の右側板５ｂの外側へ上方前部へ傾斜させて設け、二番螺旋３５ａで移送され二番物を、二番還元螺旋１３ｃで引継ぎ揚送して、二番処理室９内へ還元する構成である。
【００３７】
前記二番還元装置１２の二番還元筒１３ａの下端部は、脱穀機２の右側板５ｂに設けた受メタル（図示せず）の外周部へ挿入して、ボルト等で装着した構成であり、この二番還元筒１３ａの上下方向略中間部は、右側板５ｂに設けた支持板３７で支持させると共に、上部の二番排出筒１３ｂは二番処理室９を形成する一方側の右側板５ｂへボルト、及びナット等によって、装着した構成である。
【００３８】
前記揺動選別装置３１を内装する選別室３０を形成する一方側の右側板５ｂの位置は、図１〜図４で示す如く脱穀室７の右横側前部に設けた二番胴９ａを内装する二番処理室９を形成する一方側の右側板５ｂ、及び二番胴９ａの二番処理爪９ｂの外周部位置より、右外側部へ位置させて設けた構成である。
【００３９】
これにより、前記二番処理室９下側の二番網９ｄから漏下して、選別室３０内へ内装した揺動選別装置３１上へ落下供給される再脱穀処理物は、右側へ片寄って供給されることがなく、左右方向へ均等に落下供給されることにより、選別性能が向上する。又、脱穀室７部の全巾より、下部である選別室３０部の全巾が広くなることにより、安定した脱穀機２を構成することができる。
【００４０】
前記後仕切板６ｂから右側の右側板５ｂにおいて、図１３〜図１５で示す如く他の部材より、強度のある、例えば、板厚を厚くした補強部材６ｃを前後方向に設けた構成である。前記補強部材６ｃの前部は中仕切板６ａで支持させると共に、後述する排塵ファン３８のファンケーシング３８ａには、支持パイプ３８ｂを固着して設け、この支持パイプ３８ｂに固着して設けた支持板３８ｃには、補強部材６ｃをボルト、及びナット等によって、着脱自在に装着した構成である。
【００４１】
これにより、前記右側板５ｂ部の強度アップと、取付け部の強化との両方を行うことができる。前記選別室３０を形成する一方側の右側板５ｂの位置は、図１６〜図１８で示す如く二番処理室９を形成する一方側の右側板５ｂの位置より、右側へ位置させると共に、二番胴９ａの右側下部から上部までの間は、この二番胴９ａの二番処理爪９ｂの回転外周に沿わせて、円形状に形成すると共に、二番胴９ａの中央上部から上端部までの間は、略垂直状態に右側板５ｂを形成した構成である。
【００４２】
前記垂直部の右側板５ｂ部と、脱穀室７との間を通って、この脱穀網７ｃの上部から排塵処理室８内へ供給される脱穀物は、この排塵胴９ａ部へ落下する構成である。又、排塵網８ｄは排塵胴７ａの下側の略半分に張設した構成である。これにより、前記排塵処理室８に内装した排塵胴８ａの処理能力を、大巾に向上させることができる。
【００４３】
前記二番処理室９の一方側を形成する右側板５ｂには、図５〜図９で示す如く排塵処理室８部で、前後方向は後側板４ｂ、後仕切板６ｂとの間に、又、上下方向は右側板５ｂの折曲部から排塵網８ｄの下方部までの間に亘り、所定巾の大型形状の排塵掃除口１０を設けた構成である。又、二番処理室９の一方側を形成する右側板５ｂには、図５〜図９で示す如く二番処理室９部で、前後方向は前側板４ａと、中仕切板６ａとの間に、又、上下方向は二番還元装置１２の二番排出筒１３ｂの下側部から二番網９ｄの下方部までの間に亘り、所定巾の大型形状の二番掃除口１１を設けた構成である。
【００４４】
前記排塵掃除口１０部より、排塵処理室８内の清掃、及びこの排塵処理室８の下部に設けた排塵網８ｄを着脱自在な構成である。又、二番掃除口１１部より、二番処理室９内の清掃、及びこの二番処理室９の下部に設けた二番網９ｄを着脱自在な構成である。
【００４５】
前記排塵・二番掃除口１０，１１の外側には、下端部が挿入式で、正面視Ｌ字状の排塵・二番掃除蓋１０ａ，１１ａを複数本の締付用ボルト１０ｂで装着して設けた構成である。前記排塵網８ｄは、図６、及び図７で示す如く扱胴７ａ側はピン１０ｃで支持すると共に、外側は排塵掃除蓋１０ａと締付用ボルト１０ｂで横側から共締めした構成である。又、二番網９ｄは、図８、及び図９で示す如く扱胴７ａ側は前側板４ａと、中仕切板６ａとの間に設け支持軸１１ｂへ引掛けると共に、外側は右側板５ｂの折曲部へ上側からボルト、及びナット等で装着した構成である。
【００４６】
前記排塵・二番処理室８，９を形成する一方側の右側板５ｂには、排塵・二番掃除口１０，１１を設けると共に、これら排塵・二番掃除口１０，１１から排塵網８ｄと、二番網９ｄとを個別に着脱自在に設けたことにより、これら排塵網８ｄと、二番網９ｄとは、簡単に着脱でき、これにより、排塵・二番処理室８，９、及び排塵・二番網８ｄ，９ｄの掃除が簡単になると共に、メンテナンスが向上する。
【００４７】
前記排塵・二番処理室８，９部の右側板５ｂに設ける排塵・二番掃除口１０，１１は可能なかぎり、前後方向、及び上下方向共に、大型形状に形成したことにより、排塵・二番網８ｄ，９ｄ共に簡単に着脱できることにより、これら排塵・二番処理室８，９部の周辺の掃除が容易となり、掃除性能の向上を図ることができる。
【００４８】
前記二番処理室９部に設けた二番掃除口１１の前後方向は、図５で示す如く揺動選別装置３１の移送始端の前端部に設けた移送棚３２ａの全域に亘って設けた構成である。
これにより、二番掃除口１１から前記揺動選別装置３１の移送棚３２ａ上に、脱穀機２を空運転した後に、残る穀粒、及び藁屑等の除去が容易であると共に、濡れた穀稈を収穫作業したときに、この移送棚３２ａ上へ藁屑等が付着するが、この付着した藁屑等の除去を容易に行える。
【００４９】
前記排塵・二番掃除口１０，１１部に設ける略Ｌ字形状の排塵・二番掃除口蓋１０ａ，１１ａは、図６〜図９で示す如く下端部には、複数箇所を二股形状１０ｄ，１１ｃに形成して、この二股形状１０ｄ，１１ｃ部を個別に右側板５ｂの排塵・二番掃除口１０，１１部へ挿入すると共に、排塵掃除蓋１０ａは横部を、二番掃除蓋１１ａは、上端部のＬ字部を、右側板５ｂの横部と、折曲部とへ個別に複数個の締付用ボルト１０ｂで装着した構成である。
【００５０】
これにより、前記排塵・二番掃除口蓋１０ａ，１１ａの下端部は挿入式とし、排塵掃除蓋１０ａは横部を二番掃除蓋１１ａは上端部を締付用ボルト１０ｂで装着することにより、締付箇所が減少すると共に、横部と、上端部とは、右側板５ｂへ重合状態になることにより、排塵・二番掃除口１０，１１部へ排塵・二番掃除蓋１０ａ，１１ａの装着が容易である。
【００５１】
前記右側板５ｂには、図１９、及び図２０で示す如くこの右側板５ｂより、板厚の厚い強度のあるＬ字形状の横補強部材５ｃを、前側板４ａと、中仕切板６ａとの間に設けた構成であり、この横補強部材５ｃは前側板４ａに設けた前ステー４ｃの上端部と、中仕切板６ａに設けた中ステー６ｄの上端部とに、ボルト、及びナット等によって装着した構成である。
【００５２】
これにより、前記右側板５ｂ自体の強度アップと、取付部の強度アップとを図っている。前記二番還元装置１２の二番排出筒１３ｂの排出口１３ｄの位置は、図２１〜図２３で示す如く中仕切板１６ａの前側へ位置させて設けると共に、二番処理室９の一方側を形成する右側板５ｂの同一面に開口５ｄ部を設けた構成である。二番還元装置１２の二番還元筒１３ａと、二番排出筒１３ｂとに内装した二番還元螺旋１３ｃで揚送される二番物は、二番排出筒１３ｂの排出口１３ｄから、右側板５ａの開口５ｄ部より、二番処理室９内へ還元され、この二番処理室９内を後方から前方ヘ移送中に、二番処理胴９ａの二番処理爪９ｂで再脱穀処理される構成である。
【００５３】
これにより、前記二番還元装置１２の構成を簡素化できる。前記右側板５ｂは、図２４〜図２６で示す如く中仕切板６ａの前部と、後部とに、２分割して前部側の右側板５ｂの後端部は中仕切板６ａの一方側へ装着し、前端部は前側板４ａへ装着した構成である。又、後部側の右側板５ｂの前端部は中仕切板６ａの他方側へ装着した構成である。
【００５４】
これにより、前記右側板５ｂは中仕切板６ａ部で前後両側に分割した構成としたことにより、この右側板５ｂの取付け構成が簡単になる。前記脱穀室７の下部の脱穀網７ｃを張設した脱穀網枠７ｄの上部には、図２７で示す如く受板７ｅを二番処理室９側へ下り傾斜させて、固着して設けた構成である。二番処理室９の下部の二番網９ｄを張設した二番網枠９ｄの上端部には、図２７で示す如く受板９ｆを脱穀室７側へ上り傾斜させて、固着して設けた構成である。
【００５５】
前記脱穀網枠７ｄに設けた受板７ｅの基部は、二番網枠９ｅに設けた受板９ｆの基部より、上部に位置させると共に、この受板９ｆは受板７ｅの上側へ重合させて設けた構成である。これにより、従来は前記脱穀網枠７ｄと、二番網枠９ｅとの間の隙間より、脱穀処理物が落下することが発生していたが、これを防止できる。又、脱穀処理物が二番処理室９内へスムーズに流下する。更に脱穀網枠７ｄ、又は二番網枠９ｅいずれかからでも取り外すことができる。
【００５６】
前記二番網９ｄを張設した二番網枠９ｅの脱穀室７側には、図２７、及び図２８で示す如く前後両側に支持ピン３９を固着して設けると共に、外側部の左右両側に締付用孔３９ａを設けた構成である。前側板４ａと中仕切板６ａとの間に設けた支持板４ｄの左右両側には、挿入孔４ｅを設けた構成である。
【００５７】
前記二番網枠９ｅの支持ピン３９，３９は、支持板４ｄの挿入孔４ｅ，４ｅへ挿入して支持すると共に、外側部の締付用孔３９ａ，３９ａ部と、右側板５ａに設けた横補強部材５ｃの挿入孔部とは、ボルト、及びナット等により、装着した構成である。
【００５８】
これにより、前記前側板４ａと、中仕切板６ａとの強固な脱穀機２用のフレームにより、二番網枠９ｅは支持されることにより、取付強度アップができる。又、外側部は右側板５ｂの横補強部材５ｃの下側に装着していることにより、取り付け、及び取り外しが容易である。更に二番掃除蓋１１ａを取り外しても、二番網枠９ｅの固定が確実である。又、この二番網枠９ｅを取り外さなくても、揺動選別装置３１の清掃を容易に行うことができる。
【００５９】
前記二番網９ｄを張設した二番網枠９ｅは、図２８、及び図２９で示す如く二番処理室９の円周方向の下半分の全域に亘って張設した構成である。又、前後方向は前側板４ａから中仕切板６ａの間の全域に亘って張設した構成であると共に、前端部から後方へ所定の間で、円周方向の略中央部までは、二番排出口２９ｂを形成した構成である。
【００６０】
これにより、二番網枠９ｅに張設する二番網９ｄは、円周方向、及び前後方向共に、広範囲に亘って張設しており、このために、二番物の脱穀処理能力の向上、及び漏下性能の向上を図ることができる。
前記排塵網８ｄを張設する排塵網枠８ｅの後端部と、後側板４ｂとの間には、図３０、及び図３１で示す如くガイド板４０を設け、このガイド板４０で排出される藁屑等を案内して排出すると共に、排塵網枠８ｅを支持した構成である。このガイド板４０の後端部は、揺動選別装置３１の揺動選別棚３２ｄの後端部より、所定距離Ｍ前方に位置させて設けた構成である。
【００６１】
これにより、前記ガイド板４０で形成する排塵排出口２９ａより、排出される排塵物（特に藁屑）は揺動選別装置３１上へ確実に排出され、後方へ揺動移送されることにり、揺動選別性能の向上を図ることができる。又、排塵物の案内作用、及び排塵網枠８ｅの固定支持ができる。
【００６２】
図３１で示す如く前記ガイド板４０の左側部は、排塵ファン３８の右側のケーシング３８ａの壁板に装着すると共に、ガイド板４０の右側部は、右側板５ｂの後部に設けたカッタ４０ａの前壁板（カッタ前壁板）４０ｂに装着した構成である。これにより、前記ガイド板４０の取付は強固となり、確実な取付けができる。
【００６３】
図３１で示す如くガイド板４０の後部の下半分は、全域で末広がりのラッパ形状に形成した構成である。これにより、排出する藁を広範囲に分散して排出できる。又、排出藁は揺動選別装置３１の揺動選別棚３２ｄ上への排出と、機外とへ排出することができる。
【００６４】
前記排塵処理室８の後部を形成する排塵後板４１は、図３０、及び図３１で示す如く排塵胴８ａの略上半分に形成し、排塵軸４１ａを軸支する構成であり、下半分には、ガイド板４０を設けた構成である。これにより、藁屑排出の通路を大きく取ることができる。
【００６５】
前記排塵処理室８の排塵胴ケーシング４１ｂには、図３２、及び図３３で示す如く左レール４２ａをボルト、及びナット等により、装着すると共に、脱穀室７側の扱室右取付板４１ｃには、右レール４２ｂをボルト、及びナット等により、装着した構成として、これら左、右レール４２ａ，４２ｂで、排塵網枠８ｅを支持した構成である共に、これら左・右レール４２ａ，４２ｂは排塵後板４１の下部に設けた構成である。又、これら左・右レール４２ａ，４２ｂには、塵埃を抜く切欠溝４２ｃを複数個設けた構成である。
【００６６】
これにより、前記左・右レール４２ａ，４２ｂの取付の強化を図ることができると共に、排塵網枠８ｅの取付け、及び取り外しの容易化を図ることができる。前後後側板４ｂには、図３３、及び図３４で示す如くベアリング４２ｅを内装した排塵軸メタル４２ｄを、ボルト、及びナットで装着した構成である。この排塵軸メタル４２ｄの外周部の一部は排塵胴８ａの移送終端部内へ挿入した構成である。
【００６７】
これにより、前記排塵軸メタル４２ｄのベアリング４２ｅへ藁屑等の進入を防止することができる。前記穀粒貯留タンク１８内に貯留した穀粒を機外へ排出するこの穀粒貯留タンク１８の後側には、縦移送螺旋４３ａを内装した排出支持筒４３を略垂直姿勢で回動自在に装着して設け、この排出支持筒４３の上端部には、その全長がコンバイン１の前後長に亘る機外へ穀粒を排出する排出螺旋４４ａを伸縮自在に内装した排出オーガ４４を伸縮自在、上下回動自在、及び左右旋回自在に横方向へ配設した構成である。
【図面の簡単な説明】
【図１】  脱穀機の拡大背面図
【図２】  脱穀機の拡大側面図
【図３】  脱穀機の一部破断した拡大平面図
【図４】  脱穀機の拡大正面図
【図５】  脱穀機の排塵・二番掃除口部の拡大側面図
【図６】  脱穀機の排塵掃除口部の拡大背断面図
【図７】  脱穀機の排塵掃除蓋部の拡大背面図
【図８】  脱穀機の二番掃除口部の拡大正断面図
【図９】  脱穀機の二番掃除蓋部の拡大正面図
【図１０】  脱穀機の拡大側断面図
【図１１】  脱穀機の拡大正断面図
【図１２】  コンバインの全体側面図
【図１３】  脱穀機の補強部材部の拡大正面図
【図１４】  脱穀機の補強部材部の取付部正面図
【図１５】  脱穀機の補強部材部の取付部側面図
【図１６】  脱穀機の二番処理室部の拡大側面図
【図１７】  脱穀機の二番処理室部の拡大平面図
【図１８】  脱穀機の二番処理室部の拡大正面図
【図１９】  脱穀機の横補強部材の取付部拡大側面図
【図２０】  脱穀機の横補強部材の取付部拡大正面図
【図２１】  脱穀機の二番排出筒の取付部の拡大側面図
【図２２】  脱穀機の二番排出筒の取付部の拡大平面図
【図２３】  脱穀機の二番排出筒の取付部の拡大正面図
【図２４】  脱穀機の右側板の分割部の拡大平断面図
【図２５】  脱穀機の右側板の分割部の拡大側面図
【図２６】  脱穀機の右側板の分割部の拡大平面図
【図２７】  脱穀機の二番網枠と脱穀網枠との取付拡大正断面図
【図２８】  脱穀機の二番網枠の取付部の拡大側面図
【図２９】  脱穀機の排塵網枠の取付部の拡大側面図
【図３０】  脱穀機のガイド板の取付部の拡大側面図
【図３１】  脱穀機のガイド板の取付部の拡大背面図
【図３２】  脱穀機の左・右レールの取付部の拡大側面図
【図３３】  脱穀機の左・右レールの取付部の拡大正面図
【図３４】  脱穀機の排塵胴の取付部の一部断面した拡大側面図
【符号の説明】
３    箱体
４ａ  前側板
４ｂ  後側板
５ａ  左側板
５ｂ  右側板
６ａ  中仕切板
６ｂ  後仕切板
７    脱穀室
８    排塵処理室
８ａ 排塵胴
８ｄ  排塵網
８ｅ 排塵網枠
９    二番処理室
９ａ  二番胴
９ｄ  二番網
１０    排塵掃除口
１１    二番掃除口
２９ａ 排塵排出口
３０    選別室
３２ａ 移送棚
３２ｄ 揺動選別棚
３８ 排塵ファン
３８ａ ケーシング
４０ ガイド板
４０ｂ 前壁板（カッタ前壁板）
４１ 排塵後板
４１ａ 排塵軸
【図１】
0004784010.tif 000002
【図２】
0004784010.tif 000003
【図３】
0004784010.tif 000004
【図４】
0004784010.tif 000005
【図５】
0004784010.tif 000006
【図６】
0004784010.tif 000007
【図７】
0004784010.tif 000008
【図８】
0004784010.tif 000009
【図９】
0004784010.tif 000010
【図１０】
0004784010.tif 000011
【図１１】
0004784010.tif 000012
【図１２】
0004784010.tif 000013
【図１３】
0004784010.tif 000014
【図１４】
0004784010.tif 000015
【図１５】
0004784010.tif 000016
【図１６】
0004784010.tif 000017
【図１７】
0004784010.tif 000018
【図１８】
0004784010.tif 000019
【図１９】
0004784010.tif 000020
【図２０】
0004784010.tif 000021
【図２１】
0004784010.tif 000022
【図２２】
0004784010.tif 000023
【図２３】
0004784010.tif 000024
【図２４】
0004784010.tif 000025
【図２５】
0004784010.tif 000026
【図２６】
0004784010.tif 000027
【図２７】
0004784010.tif 000028
【図２８】
0004784010.tif 000029
【図２９】
0004784010.tif 000030
【図３０】
0004784010.tif 000031
【図３１】
0004784010.tif 000032
【図３２】
0004784010.tif 000033
【図３３】
0004784010.tif 000034
【図３４】
0004784010.tif 000035